(57)【要約】【課題】紡績糸の結束強さを高い信頼性で評価できる技術を提供する。【解決手段】転がり試験装置１は、湾曲した糸接触表面を有する糸掛け体２と、この糸掛け体２に糸掛けされた結束紡績糸Ｙの片側を固定するクランプ部３と、転がり試験中に上記の結束紡績糸Ｙに対して張力を付与するための張力付与部４と、を備える。【選択図】図６
2010168708.tif 000002
【特許請求の範囲】
【請求項１】
湾曲した糸接触表面を有する糸掛け体と、
この糸掛け体に糸掛けされた紡績糸の片側を固定する糸固定手段と、
転がり試験中に上記の紡績糸に対して張力を付与するための糸張力付与手段と、
を備える、
ことを特徴とする紡績糸の転がり試験装置。
【請求項２】
請求項１に記載の紡績糸の転がり試験装置であって、
前記糸張力付与手段は、上記紡績糸に対して一定の張力を付与するように構成される、
ことを特徴とする紡績糸の転がり試験装置。
【請求項３】
請求項１又は２に記載の紡績糸の転がり試験装置であって、
前記糸掛け体は、その長手方向に交差する方向において湾曲した形状とされる、
ことを特徴とする紡績糸の転がり試験装置。
【請求項４】
請求項３に記載の紡績糸の転がり試験装置であって、
前記糸掛け体を挟む位置で上記紡績糸に対して接触する一対の接触手段が設けられる、
ことを特徴とする紡績糸の転がり試験装置。
【請求項５】
請求項１〜４の何れかに記載の紡績糸の転がり試験装置であって、
前記糸張力付与手段は、前記糸固定手段と前記糸掛け体の間に配置される、
ことを特徴とする紡績糸の転がり試験装置。
【請求項６】
請求項５に記載の紡績糸の転がり試験装置であって、
前記糸張力付与手段は、前記糸固定手段と前記糸掛け体との間における上記紡績糸の屈曲を伴って上記紡績糸に対して張力を付与するように構成され、
前記糸掛け体を挟んで前記糸固定手段と反対側には、前記糸張力付与手段による上記紡績糸の屈曲の程度の変化を緩和するための湾曲ガイドが設けられる、
ことを特徴とする紡績糸の転がり試験装置。
【発明の詳細な説明】
【技術分野】
【０００１】
本発明は、紡績糸の転がり試験装置に関する。
【背景技術】
【０００２】
特許文献１は、釣り糸の耐摩耗試験機を開示する。この耐摩耗試験機は、試験対象の糸を研磨ブロックと往復運動機構により複数回摩擦接触させ、糸切れセンサにより糸切れを検出して、糸切れが生じるまでの往復回数で耐摩耗性を測定するようになっている。
【先行技術文献】
【特許文献】
【０００３】
【特許文献１】特開２００１−２０８６６３号公報
【発明の概要】
【発明が解決しようとする課題】
【０００４】
ところで、糸条の種類として、一般的なリング紡績糸の他に、結束紡績糸なるものが知られている。この結束紡績糸は、周知の通り、繊維束を繊維の巻き付けによって結束させたものである。
【０００５】
この結束紡績糸の品質試験として、本願出願人は、上記特許文献１の試験とは全く異なる、オペレータによる下記のような転がり試験（ローリング試験）を実施している。即ち、先ず、結束紡績糸を肩幅程度の間隔をあけて両手で掴んで腿の上に押し当て、この状態で腿の長手方向に結束紡績糸を転がすように往復させることで結束紡績糸に形成された結束部を積極的に解く。このときに結束紡績糸を糸切れせずに往復できた回数をもって、その結束紡績糸の結束強さを評価することとしている。
【０００６】
しかし、（ａ）結束紡績糸をどのくらいの強さで腿に押し当てるか、即ち、転がり試験中の結束紡績糸の張力や（ｂ）結束紡績糸と腿との接触距離、（ｃ）腿の長手方向における結束紡績糸の往復距離は、オペレータごとに看過できないバラツキがあった。このため、上記の転がり試験には改善の余地が残されていた。
【０００７】
本発明は斯かる諸点に鑑みてなされたものであり、その主な目的は、紡績糸の結束強さを高い信頼性で評価できる技術を提供することにある。
【課題を解決するための手段及び効果】
【０００８】
本発明の解決しようとする課題は以上の如くであり、本願発明の発明者は、鋭意研究の末、紡績糸の結束強さを高い信頼性で評価するには、少なくとも、転がり試験中の紡績糸の張力を安定させること、及び試料と糸掛け体との接触長さが試料によって変化せず一定にすることが不可欠であることを見出し、以下の発明を完成させた。
【０００９】
即ち、本願発明の観点によれば、以下のように構成される、紡績糸の転がり試験装置が提供される。即ち、紡績糸の転がり試験装置は、湾曲した糸接触表面を有する糸掛け体と、この糸掛け体に糸掛けされた紡績糸の片側を固定する糸固定手段と、転がり試験中に上記の紡績糸に対して張力を付与するための糸張力付与手段と、を備える。
【００１０】
以上のように構成される転がり試験装置を用いて、紡績糸の転がり試験は、例えば以下のように実施する。先ず、オペレータは、上記糸掛け体に対してその長手方向に交差する方向で上記紡績糸を糸掛けすると共に、前記糸固定手段を用いて上記紡績糸の片側を固定する。次に、オペレータは、上記糸掛け体を挟んで前記糸固定手段と反対側で上記紡績糸を把持する。そして、前記糸張力付与手段を作動させた状態、即ち、上記紡績糸に張力が付与された状態で、オペレータは、上記紡績糸の把持した部分を上記糸掛け体の長手方向と平行な方向に往復させる。すると、上記紡績糸は、自身の張力によって前記糸掛け体上に押し当てられた状態で、前記糸掛け体上をその長手方向に沿って、換言すれば上記紡績糸の糸道に対して交差する方向で、転がり、上記紡績糸に形成された結束部が積極的に解かれることとなる。オペレータは、上記紡績糸が糸切れするまでの往復回数を記録し、この往復回数を紡績糸の結束強さの評価の指標とする。
【００１１】
上記の転がり試験装置によれば、前記糸張力付与手段の存在により、転がり試験中の上記紡績糸の張力を安定させることができるので、上記紡績糸の結束強さを高い信頼性で評価することが可能となる。
【００１２】
上記の紡績糸の転がり試験装置は、更に、以下のように構成される。即ち、前記糸張力付与手段は、上記紡績糸に対して一定の張力を付与するように構成される。即ち、転がり試験中の紡績糸の張力を安定させることの一態様として、一定の張力を上記紡績糸に対して付与することが挙げられる。
【００１３】
上記の紡績糸の転がり試験装置は、更に、以下のように構成される。即ち、前記糸掛け体は、その長手方向に交差する方向において湾曲した形状とされる。以上の構成によれば、前記糸掛け体に対する上記紡績糸の滑らかな接触が実現される。
【００１４】
上記の紡績糸の転がり試験装置は、更に、以下のように構成される。即ち、前記糸掛け体を挟む位置で上記紡績糸に対して接触する一対の接触手段が設けられる。以上の構成によれば、前記一対の接触手段の存在により、湾曲した形状の前記糸掛け体に対する上記紡績糸の接触距離が安定する。従って、前記糸掛け体に対する上記紡績糸の接触距離の、オペレータ間のバラツキが解消され、もって、上記紡績糸の結束強さの評価の信頼性が向上する。
【００１５】
上記の紡績糸の転がり試験装置は、更に、以下のように構成される。即ち、前記糸張力付与手段は、前記糸固定手段と前記糸掛け体の間に配置される。このように前記糸張力付与手段を前記糸固定手段と前記糸掛け体の間に配置することで、前記糸掛け体を挟んで前記糸固定手段と反対側のレイアウトがすっきりするので、オペレータにとって、上記糸掛け体を挟んで前記糸固定手段と反対側で上記紡績糸を把持し、繰り返し往復させる前述の作業が習得し易くなる。
【００１６】
上記の紡績糸の転がり試験装置は、更に、以下のように構成される。即ち、前記糸張力付与手段は、前記糸固定手段と前記糸掛け体との間における上記紡績糸の屈曲を伴って上記紡績糸に対して張力を付与するように構成される。前記糸掛け体を挟んで前記糸固定手段と反対側には、前記糸張力付与手段による上記紡績糸の屈曲の程度の変化を緩和するための湾曲ガイドが設けられる。上記の湾曲ガイドは、以下のようにして使用する。即ち、転がり試験を開始するには、前述の通り、オペレータは、前記糸掛け体を挟んで前記糸固定手段と反対側で上記紡績糸を把持すると共に、前記糸掛け体の長手方向と平行な方向に、その把持した部分を往復させる。この際、オペレータがその把持した部分を上記の湾曲ガイドに沿って往復させることで、前記糸張力付与手段による上記紡績糸の屈曲の程度の変化が緩和される。このように上記の湾曲ガイドによれば、前記糸張力付与手段による上記紡績糸の屈曲の程度の変化が緩和されるので、前記糸張力付与手段をコンパクトに構成することが可能となる。
【図面の簡単な説明】
【００１７】
【図１】本願発明の一実施形態に係る結束紡績糸の転がり試験装置の斜視図
【図２】図１に類似する図であって、転がり試験の第一工程を示す図
【図３】図２の正面図
【図４】図１に類似する図であって、転がり試験の第二工程を示す図
【図５】図４の正面図
【図６】図１に類似する図であって、転がり試験の第三工程を示す図
【図７】結束紡績糸の拡大図
【発明を実施するための形態】
【００１８】
糸条の種類として一般的に知られているものとして、リング紡績糸と結束紡績糸が挙げられる。本願発明に係る紡績糸の転がり試験装置（以下、単に転がり試験装置とも称する。）は、結束強さという概念が存在する糸条であればその種を問わず試験の対象とすることができる。以下、本願発明に係る転がり試験装置が、上記の結束紡績糸の結束強さの評価に供される場合を一例として説明する。
【００１９】
先ず、図７を参照しつつ結束紡績糸なるものを簡単に説明する。即ち、結束紡績糸Ｙは、糸条に沿って束になった繊維束Ｙ１を繊維Ｙ２の巻き付けによって結束させて構成される。具体的には、繊維束Ｙ１を構成する繊維の端部が繊維Ｙ２として繊維束Ｙ１上に巻き付いている。この繊維束Ｙ１は、ポリエステルやレーヨンなどの合成繊維や、綿糸やウールなどの天然繊維を束にしたものである。なお、結束紡績糸Ｙが合成繊維の場合は、繊維束Ｙ１を構成する個々の繊維の繊維長が天然繊維の場合と比較して長く、従って、繊維Ｙ２の巻き付きによって形成される結束部Ｙａの間隔も天然繊維の場合と比較して長くなり、相対的に糸切れし易いとされる。
【００２０】
さて、図面を参照しつつ、本実施形態に係る転がり試験装置の構成を説明する。図１及び図３に示されるように、本実施形態に係る転がり試験装置１は、糸掛け体２と、クランプ部３（糸固定手段）と、張力付与部４（糸張力付与手段）と、を主たる構成として備える。
【００２１】
上記糸掛け体２は、図２に示されるように、長手方向を有し、この長手方向に交差する方向で結束紡績糸Ｙが糸掛けされるものである。具体的には、糸掛け体２は、図３に示されるように、上に凸となるように滑らかに湾曲する板材であって、図３の紙面に対して垂直な方向に概ね５０ｃｍ程度の長さとなるように延在する。本明細書において、「糸掛け体２の長手方向」とは、図１に示されるように、この「糸掛け体２の延在方向」を意味するものとする。また、「糸掛け体２の短手方向」とは、上記「糸掛け体２の長手方向に対して平面視で直交する方向」を意味するものとする。上記の糸掛け体２の湾曲する外表面２ａ（糸接触表面）には結束紡績糸Ｙとの間で十分な摩擦力が発生するような生地Ｘが貼り付けられる。そして、この糸掛け体２は、転がり試験装置１のメインフレーム１ａに対してサブフレーム１ｂを介して固定される。
【００２２】
糸掛け体２の短手方向において糸掛け体２から離れた位置には、上記のクランプ部３と張力付与部４を含み、メインフレーム１ａに対して固定される糸把持ユニット５が設けられる。
【００２３】
上記のクランプ部３は、上記糸掛け体２に糸掛けされた上記の結束紡績糸Ｙの片側を固定するものである（図２や図３を併せて参照。）。具体的には、クランプ部３は、図１に示されるように、ペダル６を操作することで開閉する糸把持部７を有し、この糸把持部７の前後には糸ガイド８が設けられる。これら糸把持部７及び糸ガイド８は、図３に示されるように、糸掛け体２と概ね同程度の高さに配置される。
【００２４】
上記の張力付与部４は、転がり試験中に上記の結束紡績糸Ｙに対して張力を付与するためのものである（図４や図５を併せて参照。）。具体的には、張力付与部４は、図１に示されるように、クランプ部３と糸掛け体２の間に配置される。張力付与部４は、糸把持ユニット５の図示しないユニットフレームに対して回動自在に支持されるアーム９と、このアーム９の先端に設けられる鼓状のオモリ１０と、から構成される。このオモリ１０には、転がり試験時、図４及び図５に示されるように、結束紡績糸Ｙが下側から糸掛けされる。そして、図４及び図５に示されるように、結束紡績糸Ｙに対して所定以上の張力が付与されてアーム９が上方に若干回動すると、結束紡績糸Ｙには、クランプ部３と糸掛け体２の間で屈曲された状態で、一定の張力が付与されるようになっている。
【００２５】
上記の転がり試験装置１は、更に、一対の糸接触部１１（接触手段）と、湾曲ガイド１２と、を備える。
【００２６】
上記一対の糸接触部１１は、糸掛け体２を挟む位置で上記結束紡績糸Ｙに対して接触するものである（図５を併せて参照。）。具体的には、各糸接触部１１は、図１に示されるように、糸掛け体２の短手方向において糸掛け体２に対して隣接するようにサブフレーム１ｂに固定される。また、各糸接触部１１は、図５に示されるように、斜め上方に凸となるように湾曲する板材であって、この糸接触部１１の湾曲する外表面１１ａは、結束紡績糸Ｙとの間で発生する摩擦力が極力小さくなるように表面処理される。この構成で、図５に示されるように、結束紡績糸Ｙは、転がり試験装置１の正面視で、糸掛け体２の湾曲する外表面２ａと、糸接触部１１の湾曲する外表面１１ａと、の双方に対して共通する接線となる。
【００２７】
上記の湾曲ガイド１２は、糸掛け体２を挟んでクランプ部３と反対側に設けられ、張力付与部４による結束紡績糸Ｙの屈曲の程度の変化を緩和するためのものである。具体的には、湾曲ガイド１２は、図１に示されるように、糸掛け体２を挟んでクランプ部３と反対側で、サブフレーム１ｂの側面に固定される。また、湾曲ガイド１２は、下に凸となるように湾曲する板材であって、その両端には、ガイドの終端を明示する終端部１２ａが形成される。更に、この湾曲ガイド１２の湾曲は、湾曲ガイド１２と糸掛け体２を介して張力付与部４に至る最短距離が図６の符号ａ〜ｃで示される何れの場合においても略一定となるように設定される。
【００２８】
次に、本実施形態の作動を説明する。
【００２９】
（第一工程）
先ず、オペレータは、図示しないパッケージから結束紡績糸Ｙを引き出して、図２及び図３に示すように、糸掛け体２に対してその短手方向で上記結束紡績糸Ｙを糸掛けすると共に、結束紡績糸Ｙを鼓状のオモリ１０に対して下側から糸掛けした上で、クランプ部３を用いて上記結束紡績糸Ｙの片側を固定する。
【００３０】
次に、オペレータは、図２及び図３に示すように、上記糸掛け体２を挟んでクランプ部３と反対側で上記結束紡績糸Ｙを把持する。具体的には、オペレータは、張力付与部４のオモリ１０を押し上げない程度の僅かな張力で引っ張りつつ、図２に示すように、糸掛け体２の外表面２ａと糸接触部１１の外表面１１ａの境界線１３のうち、上記糸掛け体２を挟んでクランプ部３と反対側の境界線１３の端１３ａで上記結束紡績糸Ｙを指Ｆで把持する。この状態では、結束紡績糸Ｙは、図３に示すように、クランプ部３側から順に、クランプ部３によって固定され、張力付与部４のオモリ１０に対して下側から糸掛けされ、一方の糸接触部１１の外表面１１ａとの接触で若干屈曲され、糸掛け体２の外表面２ａ上に糸掛けされ、上記糸掛け体２を挟んでクランプ部３と反対側の境界線１３近傍でオペレータに把持されている。
【００３１】
（第二工程）
次に、オペレータは、図４及び図５に示すように、指Ｆで結束紡績糸Ｙを把持したまま、指Ｆを太線矢印Ｂで示す方向へ、即ち、位置Ｆ１から位置Ｆ２へと動かして結束紡績糸Ｙを引っ張る。すると、張力付与部４のアーム９は、太線矢印Ａで示すように、図５において反時計回りに回動し、もって、張力付与部４を作動させた状態、即ち、張力付与部４によって上記結束紡績糸Ｙに張力が付与された状態となる。なお、張力付与部４によって結束紡績糸Ｙに付与される張力は、図５に示されるように、張力付与部４による結束紡績糸Ｙの屈曲の角度θと、オモリ１０の質量と、によって決定される。
【００３２】
（第三工程）
この状態で、オペレータは、図６に示すように、上記結束紡績糸Ｙの把持した部分を上記糸掛け体２の長手方向と平行な方向に往復させる。具体的には、結束紡績糸Ｙを把持する指Ｆを、符号-ａ→ｂ→ｃ→ｂ→ａ→ｂ→ｃ→・・・となるように湾曲ガイド１２に沿って、両端の終端部１２ａの間で、往復させる。
【００３３】
すると、上記結束紡績糸Ｙは、張力付与部４によって付与された自身の張力によって前記糸掛け体２上に押し当てられた状態で、前記糸掛け体２上をその長手方向に沿って、換言すれば上記結束紡績糸Ｙの糸道に対して交差する方向で、転がり、上記結束紡績糸Ｙに形成された結束部Ｙａ（図７を併せて参照。）が積極的に解かれることとなる。
【００３４】
オペレータは、上記結束紡績糸Ｙが糸切れするまでの往復回数を記録し、この往復回数を結束紡績糸Ｙの結束強さの評価の指標とする。
【００３５】
以上に本実施形態に係る転がり試験装置１の作動を説明した。なお、本実施形態では、前述の湾曲ガイド１２の湾曲は、湾曲ガイド１２と糸掛け体２を介して張力付与部４に至る最短距離が図６の符号ａ〜ｃで示される何れの場合においても略一定となるように設定される。従って、上記の転がり試験中、図５に示される張力付与部４による結束紡績糸Ｙの屈曲の角度θに変化はない。また、前述したように、張力付与部４によって結束紡績糸Ｙに付与される張力は、図５に示されるように、張力付与部４による結束紡績糸Ｙの屈曲の角度θと、オモリ１０の質量と、によって決定される。従って、オモリ１０の質量は一定であることから、転がり試験中、張力付与部４によってによって結束紡績糸Ｙに付与される張力は、一定となるようになっている。
【００３６】
さらに、試料Ｙと糸掛け体２の外表面との接触長さは、糸掛け体２の両側の糸接触部１１によって定まるので、各試料間での糸掛け体との接触長さが変化することなくほぼ一定とすることができ、試験評価の信頼性に寄与する。
【００３７】
（まとめ）
（請求項１）
以上説明したように上記実施形態において転がり試験装置１は、以下のように構成される。即ち、転がり試験装置１は、長手方向を有し、この長手方向に交差する方向で結束紡績糸Ｙが糸掛けされる糸掛け体２と、この糸掛け体２に糸掛けされた上記の結束紡績糸Ｙの片側を固定するクランプ部３と、転がり試験中に上記の結束紡績糸Ｙに対して張力を付与するための張力付与部４と、を備える。上記の転がり試験装置１によれば、前記張力付与部４の存在により、転がり試験中の上記結束紡績糸Ｙの張力を安定させることができるので、上記結束紡績糸Ｙの結束強さを高い信頼性で評価することが可能となる。
【００３８】
なお、上記実施形態では、転がり試験中の上記結束紡績糸Ｙの張力が一定とされるが、必ずしも、この張力は一定である必要はない。本明細書において、「安定する」とは、「オペレータ間でのバラツキが少ない」ということを意味する。
【００３９】
（請求項２）
上記の転がり試験装置１は、更に、以下のように構成される。即ち、張力付与部４は、上記結束紡績糸Ｙに対して一定の張力を付与するように構成される。即ち、転がり試験中の結束紡績糸Ｙの張力を安定させることの一態様として、一定の張力を上記結束紡績糸Ｙに対して付与することが挙げられる。
【００４０】
（請求項３）
上記の転がり試験装置１は、更に、以下のように構成される。即ち、前記糸掛け体２は、その短手方向において湾曲した形状とされる。以上の構成によれば、図３に示されるように、前記糸掛け体２に対する上記結束紡績糸Ｙの滑らかな接触が実現される。また、この滑らかな接触により、結束紡績糸Ｙの有する複数の結束部Ｙａが同時に糸掛け体２の外表面２ａに対して接触することとなるので、結束紡績糸Ｙの結束強さを広範囲で一度に評価することができる。
【００４１】
なお、上記実施形態において糸掛け体２は、その短手方向において湾曲した形状としたが、これに限らず、糸掛け体２は、少なくとも、その長手方向に交差する方向において湾曲した形状であれば上記の有益な効果が奏される。
【００４２】
（請求項４）
上記の転がり試験装置１は、更に、以下のように構成される。即ち、前記糸掛け体２を挟む位置で上記結束紡績糸Ｙに対して接触する一対の糸接触部１１が設けられる。以上の構成によれば、前記一対の糸接触部１１の存在により、湾曲した形状の前記糸掛け体２に対する上記結束紡績糸Ｙの接触距離が安定する。従って、前記糸掛け体２に対する上記結束紡績糸Ｙの接触距離の、オペレータ間のバラツキが解消され、もって、上記結束紡績糸Ｙの結束強さの評価の信頼性が向上する。
【００４３】
（請求項５）
上記の転がり試験装置１は、更に、以下のように構成される。即ち、前記張力付与部４は、前記クランプ部３と糸掛け体２の間に配置される。このように前記張力付与部４をクランプ部３と糸掛け体２の間に配置することで、糸掛け体２を挟んでクランプ部３と反対側のレイアウトがすっきりするので、オペレータにとって、糸掛け体２を挟んでクランプ部３と反対側で上記結束紡績糸Ｙを把持し、繰り返し往復させる前述の作業が習得し易くなる。
【００４４】
（請求項６）
上記の転がり試験装置１は、更に、以下のように構成される。即ち、張力付与部４は、クランプ部３と糸掛け体２との間における上記結束紡績糸Ｙの屈曲を伴って上記結束紡績糸Ｙに対して張力を付与するように構成される。前記糸掛け体２を挟んで前記クランプ部３と反対側には、張力付与部４による上記結束紡績糸Ｙの屈曲の程度の変化を緩和するための湾曲ガイド１２が設けられる。以上の構成によれば、張力付与部４による上記結束紡績糸Ｙの屈曲の程度の変化が緩和されるので、張力付与部４をコンパクトに構成することが可能となる。
【００４５】
なお、上記実施形態では、上記の湾曲ガイド１２の両端に往復の折り返し地点を明示する終端部１２ａが設けられるので、糸掛け体２の長手方向における結束紡績糸Ｙの往復距離が安定するようになっている。
【００４６】
以上に本発明の好適な実施形態を説明したが、上記の実施形態は以下のように変更して実施することができる。
【００４７】
即ち、例えば、上記実施形態において張力付与部４は、図１に示されるように、回動自在なアーム９と、このアーム９の先端に設けられるオモリ１０と、を備え、このオモリ１０に対して下側から結束紡績糸Ｙを糸掛けするように構成した。しかし、これに代えて、例えば、下端がメインフレーム１ａに固定され、上端に糸ガイドが形成された引張バネを採用してもよい。
【００４８】
また、転がり試験の試験対象たる糸条の種別に応じてオモリ１０を質量の異なる他のオモリに交換してもよい。
【００４９】
測定器は両面いずれからでも使用可能なので、オペレータの利き手に応じて使用する向き（図２の矢印Ａ、Ｂ）を選ぶことが可能である。
【符号の説明】
【００５０】
１  転がり試験装置
２  糸掛け体
３  クランプ部
４  張力付与部
Ｙ  結束紡績糸
【図１】
2010168708.tif 000003
【図２】
2010168708.tif 000004
【図３】
2010168708.tif 000005
【図４】
2010168708.tif 000006
【図５】
2010168708.tif 000007
【図６】
2010168708.tif 000008
【図７】
2010168708.tif 000009